(57)【要約】      （修正有）【課題】防水性、制振性を有するプラットホーム体構造や室内壁構造を実現するための作業性の改善された、被覆板状体を提供する。【解決手段】防音機能及び防水性を有する粘弾性シートを含んで成る防音層を含み、表面にフィルムが剥離可能に貼着された被覆板状体であり、防湿機能を有する防湿層を含み、表面にフィルムが剥離可能に貼着された被覆板状体である。更に、前記フィルムが前記防音層の上面に粘着層を介して剥離可能に貼着された被覆板状体であり、前記防音層が、前記ゴム状粘弾性シートの下面側に接合された合板層を含んで成る被覆板状体であり、前記防音層が、前記ゴム状粘弾性シートの上面側に接合された第二の合板層を含んで成る被覆板状体であり、裏面に第二の粘着層を介してセパレート用シートが剥離可能に貼着された被覆板状体である。【選択図】  図１
2004238911.tif 000002
【特許請求の範囲】
【請求項１】
プラットホームの上面又は室内壁の表面に取り付けて用いるものであって、防音機能を有する防音層を含み、表面に不透水性のフィルムが剥離可能に貼着された被覆板状体。
【請求項２】
前記フィルムが前記防音層の上面に粘着層を介して剥離可能に貼着された請求項１に記載の被覆板状体。
【請求項３】
前記防音層が粘弾性シートを含んで成る請求項１又は２に記載の被覆板状体。
【請求項４】
前記防音層が、前記粘弾性シートの下面側に接合された合板層を含んで成る請求項３に記載の被覆板状体。
【請求項５】
前記防音層が、前記粘弾性シートの上面側に接合された第二の合板層を含んで成る請求項４に記載の被覆板状体。
【請求項６】
プラットホームの上面又は室内壁の表面に取り付けて用いるものであって、吸湿機能を有する吸湿層を含み、表面に不透水性のフィルムが剥離可能に貼着された被覆板状体。
【請求項７】
裏面に第二の粘着層を介してセパレート用シートが剥離可能に貼着された請求項１乃至６のいずれかに記載の被覆板状体。
【請求項８】
プラットホームと、該プラットホームの上面に敷設固定された請求項１乃至７のいずれかに記載の被覆板状体とから成るプラットホーム体構造。
【請求項９】
室内壁と、該室内壁の表面に敷設固定された請求項２に記載の被覆板状体とから成る壁体構造。
【発明の詳細な説明】
【０００１】
【発明の属する技術分野】
本発明は、住宅のプラットホーム又は室内壁の表面に取り付けられる、防水機能等を有する被覆板状体に関する。
【０００２】
【従来の技術】
【０００３】
住宅を２×４工法等の工法で作る場合、プラットホームと称される基礎床板が予め設置され、その基礎床板上に室内用床材を敷設することが行なわれる（例えば、特許文献１参照。）。プラットホームは壁面構造板や屋根板の構築に先立って住宅基礎上に設置されるので、設置後に雨に曝される場合があり、この場合プラットホームが濡れて変色、変質、劣化する場合があり、大きなトラブルとなる。また、設置されたプラットホームの表面が住宅施工作業のため土足で汚されることが多い。このために敷設されたプラットホームを一時的に養生シートで覆うことが行なわれるが、この覆う作業は煩雑である。またプラットホームの表面には防音性（制振性）を付与するために防音用（制振用）シートが敷設されることが多いがこの敷設作業も煩雑である。
【０００４】
【特許文献１】
特開平９−１０９３０４号公報（第２頁）
【０００５】
【発明が解決しようとする課題】
本発明は、これら問題点に鑑み、防水性、防音性（制振性）を有するプラットホーム体構造や室内壁構造を実現するための作業性の改善された、被覆板状体を提供しようとする。
【０００６】
【課題を解決するための手段】
本発明の要旨とするところは、プラットホームの上面又は室内壁の表面に取り付けて用いるものであって、防音機能を有する防音層を含み、表面に不透水性のフィルムが剥離可能に貼着された被覆板状体であることにある。
【０００７】
前記フィルムは、前記防音層の上面に粘着層を介して剥離可能に貼着され得る。
【０００８】
前記防音層は、粘弾性シートから成り得る。
【０００９】
前記防音層は、前記粘弾性シートの下面側に接合された合板層を含んで成り得る。
【００１０】
前記防音層は、前記粘弾性シートの上面側に接合された第二の合板層を含んで成り得る。
【００１１】
又、本発明の要旨とするところは、プラットホームの上面又は室内壁の表面に取り付けて用いるものであって、吸湿機能を有する吸湿層を含み、表面に不透水性のフィルムが剥離可能に貼着された被覆板状体であることにある。
【００１２】
前記被覆板状体においては、裏面に第二の粘着層を介してセパレート用シートが剥離可能に貼着され得る。
【００１３】
更に、本発明の要旨とするところは、プラットホームと、該プラットホームの上面に敷設固定された前記被覆板状体とから成るプラットホーム体構造であることにある。
【００１４】
又更に、本発明の要旨とするところは、室内壁と、該室内壁の表面に敷設固定された前記被覆板状体とから成る壁体構造であることにある。
【００１５】
【発明の実施の形態】
本発明に係る態様を図面に基づいて詳しく説明する。図１において、４は合成ゴム等の粘弾性シートから成る防音ゴム層であり、その上面に粘着層６を介して不透水性のフィルム８が剥離可能に貼着されている。防音ゴム層４は不図示の接着層を介してプラットホーム１２の上面に敷設固定されて、プラットホーム体構造２が構成される。即ち、防音ゴム層４とその上面に粘着層６を介して剥離可能に貼着されたフィルム８とで構成される本発明の被覆板状体１４が、プラットホーム１２の上面に敷設固定されて、プラットホーム体構造２が構成される。具体的には、防音ゴム層４を構成する粘弾性シートの上面に粘着剤をコーティングし、更にフィルム８を貼着するか、フィルム８の裏面に粘着剤をコーティングし、その粘着剤がコーティングされたフィルム８を防音ゴム層４の上面に貼着してもよい。その後、防音ゴム層４の裏面とプラットホーム１２の上面とが接着剤により貼着される。図１に示す態様においては、防音ゴム層４が本発明の被覆板状体１４の防音層５を構成している。
【００１６】
粘弾性シートの素材としては、ブチルゴムとポリオレフィンとの複合物がクッション性や防音性のうえで好ましいが、天然ゴム、ＮＢＲ、ＳＢＲ、ブチルゴム、アクリルゴム、シリコンゴム、フッ素ゴム等の合成ゴム、ポリエチレン樹脂、ポリアミド樹脂等の振動を吸収する性能を有する素材であってもよい。又、ポリクロロプレン系樹脂、ポリイソプレン系樹脂、ポリエステル系樹脂、ポリエーテル系樹脂、エポキシ系樹脂等が挙げられる。これらの樹脂のうちの複数種が混合されて用いられてもよい。樹脂を発泡剤や発泡助剤を添加した系で発泡タイプにしたものであってもよい。
【００１７】
防音ゴム層４の厚さは２〜１０ｍｍであることが好ましいが、この範囲に限定されない。
【００１８】
粘着層６を構成する樹脂としては、アクリル系、ゴム系、シリコン系、ビニルエーテル系の樹脂が挙げられるがこれらに限定されない。これらの樹脂には、必要に応じてロジン系などの粘着性付与樹脂等が添加されてもよい。
【００１９】
フィルム８を構成する樹脂としては、ポリエチレン、ポリプロピレン等のオレフィン系樹脂、ポリエチレンテレフタレート、ポリエチレンナフタレート等のポリエステル類、ポリ塩化ビニル、ポリ塩化ビニリデンなどのポリハロゲン化ビニル類、ポリアミド、ポリイミド、ポリカーボネート、ポリウレタン等を挙げることができるがこれらに限定されない。又これらの樹脂は共重合体であってもよい。上記合成樹脂よりなるシート材は、無延伸あるいは一軸、二軸方向に延伸されたものの、いずれであってもよい。また、樹脂は発泡体であってもよい。また、樹脂よりなるフィルム８は、異なる複数の樹脂シートが積層された積層フィルムであってもよい。フィルム８は着色されていてもよい。表面がエンボス加工等により賦型されていてもよい。
【００２０】
このような本発明のプラットホーム体構造２は、表面が雨に曝されたとしても表面が不透水性のフィルム８で覆われているので、防音ゴム層４やプラットホーム１２が雨水により膨潤や変質することがない。又、表面が住宅施工作業のため土足で汚されたとしても軽く拭くだけで清掃が可能である。
【００２１】
更に、本発明のプラットホーム体構造２は、防音ゴム層４が湿気を遮断するので、防湿性能も備え、プラットホーム１２に敷設されて室内の防湿に寄与する。
【００２２】
プラットホーム体構造２はそのまま住宅の床としての使用が可能である。又、フィルム８を粘着層６ごと防音ゴム層４から剥がして除去して住宅の床として使用が可能である。更に、フィルム８を除去した後防音ゴム層４の上面にフロア用の建材を敷設して住宅の床として使用することが好ましい。
【００２３】
被覆板状体は、図２に示す態様であってもよい。図２においては、被覆板状体１４ａが、防音ゴム層４とその上面に粘着層６を介して剥離可能に貼着されたフィルム８と、防音ゴム層４の下面に接合された合板層１６とで構成される。被覆板状体１４ａが接着剤又は釘打ち等の固定手段によりプラットホーム１２の上面に固定されて、本発明のプラットホーム体構造２ａが構成される。図２に示す態様においては、防音ゴム層４と合板層１６とで被覆板状体１４ａの防音層５ａを構成している。
【００２４】
被覆板状体は、図３に示す態様であってもよい。図３においては、被覆板状体１４ｂが、第二の合板層１６ａと第二の合板層１６ａの上面に粘着層６を介して剥離可能に貼着されたフィルム８と、第二の合板層１６ａの下面に接着された防音ゴム層４と、防音ゴム層４の下面側に接合された合板層１６とで構成される。被覆板状体１４ｂが接着剤又は釘打ち等の固定手段によりプラットホーム１２の上面に固定されて、本発明のプラットホーム体構造２ｂが構成される。図３に示す態様においては、合板層１６ｂと防音ゴム層４と合板層１６とで被覆板状体１４ｂの防音層５ｂを構成している。
【００２５】
この態様は断熱性にも優れる床構成が実現される。更に、フィルム８が除去されたあとは被覆板状体１４ｂの両面に木質材が露出するので、付帯の木工工事を伴う場合にその工事が容易となる。
【００２６】
本発明の他の態様として、図４に示すように、被覆板状体１４の下面に更に第二の第二の粘着層２０を介してセパレータシート２２が貼着されている被覆板状体１４ｃが挙げられる。被覆板状体１４ｃは、セパレータシート２２を剥がして除去した後、プラットホームに載置すると、被覆板状体１４の下面とプラットホームの上面とが、第二の粘着層２０により接合される。このような態様で、被覆板状体１４がプラットホーム上に手間をかけずに容易に設置される。
【００２７】
本発明の更に他の態様として、図５に示すように、被覆板状体１４ａの下面に更に第二の粘着層２０を介してセパレータシート２２が貼着されている被覆板状体１４ｄが挙げられる。被覆板状体１４ｄは、セパレータシート２２を剥がして除去した後、プラットホームに載置すると、被覆板状体１４ａの下面とプラットホームの上面とが、第二の粘着層２０により接合される。このような態様で、被覆板状体１４ａがプラットホーム上に手間をかけずに容易に設置される。
【００２８】
本発明の又更に他の態様として、図６に示すように、被覆板状体１４ｂの下面に更に第二の粘着層２０を介してセパレータシート２２が貼着されている被覆板状体１４ｅが挙げられる。被覆板状体１４ｅは、第二の粘着層２０を被覆板状体１４ｂの下面に残してセパレータシート２２を剥がして除去した後、プラットホームに載置すると、被覆板状体１４ｂの下面とプラットホームの上面とが、第二の粘着層２０により接合される。このような態様で、被覆板状体１４ｂがプラットホーム上に手間をかけずに容易に設置される。
【００２９】
セパレータシート２２は、樹脂フィルム、紙等のシート素材で構成される。セパレータシート２２を構成する素材と第二の粘着層２０との剥離性が充分でない場合は、セパレータシート２２の第二の粘着層２０と接する面には、剥離剤がコートされている。
【００３０】
本発明の被覆板状体（被覆板状体１４、１４ａ、１４ｂ、１４ｃ、１４ｄ、１４ｅ）の使用により、従来は先ずプラットホームを設置し、次いで養生シートをそのプラットホームの上面に敷設し、次に壁面や屋根の設置工事を行ない、その後養生シートを除去し、防音シートをプラットホームに貼着し、最後にフローリング床材を敷設するという煩雑な工程が、プラットホーム設置後、そのプラットホーム上面に本発明の被覆板状体を敷設接合し、次に壁面や屋根の設置工事を行ない、必要ならばフィルム８を除去しフローリング床材を敷設するという極めて簡略化された工程となる。
【００３１】
更に、本発明の被覆板状体は、壁面への施工も可能である。本発明の被覆板状体をプラットホームに接合するのと同様の態様で壁面へ接合して壁体構造とすることにより、壁面の防音工事を簡略化された工程で行なうことが出来る。この場合、防音ゴム層４にかえて防湿性のシートを使用すると、壁面の防湿音工事を簡略化された工程で行なうことが出来る。更に、防音ゴム層４にかえて防湿性のシートと防音ゴム層４との複合シートを使用すると、壁面の防音防湿工事を簡略化された工程で行なうことが出来る。
【００３２】
又、図１に示す態様の被覆板状体１４や、図４に示す態様の被覆板状体１４ｃは、可撓性を有するので、長尺のロール状のものの製造や、長尺のロール状でのユーザーへの供給が可能となり、施工現場で所望のサイズに切り取って使用することができ、保管や運搬の手間とスペースが節約できて好ましい。
【００３３】
以上本発明の被覆板状体の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００３４】
例えば、本発明の被覆板状体は、合板層１６や第二の合板層１６ａに代えて、樹脂製の板や、発泡スチロールや発泡ウレタンのような発泡樹脂製の板や、複合材料から成る板が用いられてもよい。これらの板は可撓性を有している場合は、本発明の被覆板状体は長尺のロール状での製造と巻き取りが可能となる。
【００３５】
例えば、本発明の被覆板状体は、被覆板状体１４において粘着層６と防音ゴム層４との間に他の樹脂層や木質層のような層が介在した被覆板状体（不図示）であってもよい。
【００３６】
又、本発明においては、被覆板状体１４ａにおいて粘着層６と防音ゴム層４との間や防音ゴム層４と合板層１６との間に他の樹脂層や木質層のような層が介在してもよい。
【００３７】
被覆板状体１４ｂにおいては、粘着層６と第二の合板層１６ａとの間に他の樹脂層や木質層のような層が介在していてもよい。第二の合板層１６ａと防音ゴム層４との間に他の層が介在していてもよい。防音ゴム層４と合板層１６との間に他の層が介在していてもよい。
【００３８】
被覆板状体１４ｃおいては、第二の粘着層２０と防音ゴム層４との間に他の樹脂層や木質層のような層が介在していてもよい。被覆板状体１４ｄ、１４ｅにおいては、合板層１６と第二の粘着層２０との間に他の樹脂層や木質層のような層が介在していてもよい。
【００３９】
【発明の効果】
本発明の被覆板状体は、プラットホームの施工時にプラットホーム上に敷設接合することにより、プラットホームの養生、防水シートの取り付けと防音、制振材の取り付けという目的を同時に極めて簡単な手順で手間をかけずに行なうことが出来る。
【００４０】
本発明の被覆板状体は、長尺のロール状での製造とユーザーへの供給が可能であり、防音材の製造コスト削減と、運搬、保管の手間とコストの削減が可能となる。
【００４１】
本発明の被覆板状体は、室内壁の施工時に壁面に取り付け接合することにより、壁面の防音、防湿材の取り付けを極めて簡単な手順で手間をかけずに行なうことが出来る。
【図面の簡単な説明】
【図１】本発明の被覆板状体の構成とプラットホームへの取り付けの態様を示す断面模式図である。
【図２】本発明の被覆板状体の構成の他の態様とプラットホームへの取り付けの状態を示す断面模式図である。
【図３】本発明の被覆板状体の構成の更に他の態様とプラットホームへの取り付けの状態を示す断面模式図である。
【図４】本発明の被覆板状体の構成の又更に他の態様を示す断面模式図である。
【図５】本発明の被覆板状体の構成の更に又他の態様を示す断面模式図である。
【図６】本発明の被覆板状体の構成の更に又別の態様を示す断面模式図である。
【符号の説明】
２、２ａ、２ｂ：プラットホーム体構造
４：防音ゴム層
５、５ａ、５ｂ：防音層
６：粘着層
８：フィルム
１２：プラットホーム
１４、１４ａ、１４ｂ、１４ｃ、１４ｄ、１４ｅ：被覆板状体
１６、１６ａ：合板層
【図１】
2004238911.tif 000003
【図２】
2004238911.tif 000004
【図３】
2004238911.tif 000005
【図４】
2004238911.tif 000006
【図５】
2004238911.tif 000007
【図６】
2004238911.tif 000008